(57)【要約】  【課題】チャンネルスキャン時の受信状況を向上させる。  【解決手段】チャンネルスキャン中は、ディスプレイへの表示用データ転送を停止するとともに、ディスプレイの画面４ｃ表示をオフとする。このため、ディスプレイの動作に起因するノイズの影響を受けずに、チャンネルスキャンが実行できる。【選択図】図７
2009118073.tif 000002
【特許請求の範囲】
【請求項１】
テレビ機能を備える放送受信端末であって、
ディスプレイと、
表示用データを前記ディスプレイに転送させる転送手段と、
チャンネルスキャンするチャンネルスキャン手段と、
前記チャンネルスキャン手段によるスキャン中、前記転送手段による前記表示用データの転送を抑制する転送抑制手段と、
を備えることを特徴とする放送受信端末。
【請求項２】
前記転送抑制手段による転送の抑制は転送の停止又は転送速度の減少である
ことを特徴とする請求項１に記載の放送受信端末。
【請求項３】
デジタル放送波を受信するチューナ部と、
プロセッサを含み、受信したデジタル放送波に含まれる符号化データをデコードするバックエンド部と、を備え、
前記転送抑制手段は、さらに、前記チャンネルスキャン手段によるスキャン中、前記バックエンド部のプロセッサの動作クロックを低下させる
ことを特徴とする請求項１に記載の放送受信端末。
【請求項４】
さらに、発光体と、
前記スキャン中、前記発光体の発光状態をスキャン前とは異ならせる発光体制御手段と、
を備えることを特徴とする請求項１から３のいずれか１項に記載の放送受信端末。
【請求項５】
さらに、前記ディスプレイに電力を供給するバッテリと、
前記バッテリを制御するバッテリ制御手段とを備え、
前記チャンネルスキャン手段によるスキャン中、前記バッテリ制御手段は、前記ディスプレイへの電力供給を停止する
ことを特徴とする請求項１に記載の放送受信端末。
【請求項６】
さらに、充電可能なバッテリと、
前記バッテリを充電する充電手段と、
前記チャンネルスキャン手段によるスキャン中、前記充電手段による充電を抑制する充電抑制手段と、
を備えることを特徴とする請求項１に記載の放送受信端末。
【請求項７】
さらに、携帯電話機の基地局と無線で所定間隔おきに通信する通信手段と、
前記通信手段による通信を行う間、前記チャンネルスキャン手段によるチャンネルスキャンを停止させるチャンネルスキャン制御手段と、
を備えることを特徴とする請求項１に記載の放送受信端末。
【請求項８】
さらに、スピーカを備え、
前記転送手段は、音声用データを前記スピーカに転送させ、
前記転送抑制手段は、チャンネルスキャン手段によるスキャン中、前記転送手段による前記音声用データの転送を抑制する
ことを特徴とする請求項１に記載の放送受信端末。
【発明の詳細な説明】
【技術分野】
【０００１】
本発明はテレビ放送を受信する放送受信端末に関し、特にチャンネルスキャン技術に関する。
【背景技術】
【０００２】
放送受信端末であるテレビ機能付き携帯電話機においては、チャンネルスキャンを実行する機能を備えている（例えば、特許文献１参照。）。
チャンネルスキャンでは、チャンネルを順次選局し、複数チャンネルの受信可否を調査、そして受信可と判断したチャンネルをチャンネルリストに登録する。携帯電話機は、このチャンネルリストをメニュー表示し、ユーザから選局を受け付ける。
【特許文献１】特開2006-13945号公報
【発明の開示】
【発明が解決しようとする課題】
【０００３】
ところで、本発明者の分析によれば、携帯電話機自身の動作が原因で、放送波の受信に影響を与えるノイズが発生することが判明している。
このノイズの影響により、チャンネルスキャン時に、受信可能と判断されるチャンネル数が減少するおそれがある。
また、チャンネルスキャンに時間がかかってしまうことも考えられる。
【０００４】
すなわち、現在位置が所定チャンネルの受信エリアの境界付近等である場合、この放送波が弱いため、ノイズの影響を烈に受け、この所定チャンネルを受信不可と判断してしまうのである。
また、チャンネルの所望の受信レベルが得られないときは、受信レベルが得られるレベルを受信したときよりチャンネルスキャンの時間がかかってしまうことになってしまう。
【０００５】
本発明は、上述の問題に鑑みてなされたものであって、携帯電話機などのテレビ放送を受信する放送受信端末において、携帯電話機自身の動作に起因するノイズを回避または抑制することで、ノイズの影響を受けずにチャンネルスキャンを実行することを目的とする。
【課題を解決するための手段】
【０００６】
本発明者の分析によれば、ディスプレイ表示機能を有する放送受信端末では、ディスプレイに表示用のデータを転送ケーブル等を通して転送しているが、この転送ケーブル等から放射ノイズが発せられることが判明している。
更に、音声回路やＣＰＵ、メモリなどのバックエンド部やそれらに電源を供給する電源部からも発生することが判明している。
【０００７】
ディスプレイの画面サイズ拡大や高解像度化によるデータの転送速度の増加に伴い、放射ノイズ量は増加傾向にあるため、係るノイズの抑制が急務である。
そこで、本発明に係る放送受信端末は、テレビ機能を備える放送受信端末であって、ディスプレイと、表示用データを前記ディスプレイに転送させる転送手段と、チャンネルスキャンするチャンネルスキャン手段と、前記チャンネルスキャン手段によるスキャン中、前記転送手段による前記表示用データの転送を抑制する転送抑制手段と、を備えることを特徴としている。
【発明の効果】
【０００８】
課題を解決するための手段に記載した構成によれば、スキャン中は、表示用データの転送に起因するノイズを回避することができ、ノイズの影響を受けずにチャンネルスキャンが可能となる。
【発明を実施するための最良の形態】
【０００９】
以下、実施の形態について、放送受信端末であるテレビ機能付き携帯電話機を例に挙げて説明する。
（実施の形態）
＜構成＞
図１は、携帯電話機２の外観を示す図である。
【００１０】
携帯電話機２は、折り畳み型であって、図１（ａ）に展開状態、図１（ｂ）に折り畳み状態を示している。
携帯電話機２は、各種表示を行うディスプレイ４、スピーカ６、複数色の発光が可能なＬＥＤ８、操作を受け付けるキー群１０を備える。
図２は、携帯電話機２の機能ブロック図である。
【００１１】
携帯電話機２は、通信部１２、チューナ部１８、ＢＥ（バックエンド）部２０を備える。
通信部１２は、アンテナ１２ａ、スピーカ１４、マイク１６が接続されていて、携帯電話機２の通話機能を実現する機能ブロックであり、内部にはＢＢ（ベースバンド）部やＲＦ（高周波）部を含む。
【００１２】
チューナ部（フロントエンド部）１８は、ＴＶアンテナ１８ａから入力されたデジタル放送波を受信して、ＴＳ（Transport Stream）をＢＥ部２０に出力する。
ＢＥ部２０は、ＣＰＵ２２、メモリ２４、転送部２６、ＴＳ処理部２８、ディスプレイ制御部３０、音声制御部３２、ＬＥＤ制御部３６、操作部３８を備える。
メモリ２４は、ＲＯＭやＲＡＭを含んで構成され、各種制御プログラムや各種アプリケーションプログラム記憶すると共に、プログラムの作業領域を確保する。
【００１３】
ＣＰＵ２２は、メモリ２４に記憶されたプログラムを実行する。また、ＣＰＵ２２は、動作クロックの周波数を切り替える公知な機能を備えている。
転送部２６は、例えばバスから構成され、ディスプレイ制御部３０からディスプレイ４への表示用データや、音声出力制御部３２からスピーカ６への音声データなどのデータ転送を行う。
【００１４】
ＣＰＵ２２はデータ転送命令により、主記憶（メモリ２４）からレジスタに読み出されたデータの転送を制御し、データ転送の停止や抑制をも行う。
ＴＳ処理部２８は、ＴＳを、映像ＥＳ（Elementary Stream）、音声ＥＳ、番組情報ＰＳＩ／ＳＩ（Program Specific Information/Service Information）などに分解し、この映像ＥＳと音声ＥＳとをデコードする。
【００１５】
ディスプレイ制御部３０は、デコードされた映像データに基づいて、ディスプレイ４の表示制御を行う。
音声出力制御部３２は、デコードされた音声データに基づいて、スピーカ６への音声出力を制御する。
ＬＥＤ制御部３６は、ＬＥＤ８の発光のオン／オフを制御する。またＬＥＤ８を所定のパターンで点滅させたり、発光色を切り替える。
【００１６】
操作部３８は、キー群１０などの各種キーから構成されており、チャンネルスキャン開始指示やチャンネルの選局などの操作入力を受け付ける。
＜動作＞
課題を解決するための手段の欄で述べたように、ディスプレイ４が動作する際には、表示用のデータを転送する転送ケーブル等から高周波の放射ノイズが発生し、これがＴＶアンテナ１８ａやチューナ部１８の入力回路部分にノイズとして乗ってしまい、受信感度を低下させることが明らかになっている。
【００１７】
ノイズ発生源の各部に、磁気シールドやノイズ吸収体などによりある程度のノイズ対策を行うことはできるが、完全にノイズを取り除くのは困難なのが実情である。
このため本実施の形態では、チャンネルスキャンには必要のない機能を一時的に抑制させて、ノイズの影響を低減させた状態でチャンネルスキャンを実行する。
図３は、チャンネルスキャンの全体処理に関するフローチャートを示す図である。
【００１８】
図４は、チャンネルスキャンの前処理に関するフローチャートを示す図である。
図５は、チャンネルスキャンの処理に関するフローチャートを示す図である。
図６は、チャンネルスキャンの復帰処理に関するフローチャートを示す図である。
図７は、チャンネルスキャン前後におけるディスプレイ４の画面４ａ〜４ｅの遷移を示す図である。
【００１９】
チャンネルスキャンに係る処理は、基本的には、メモリ２４の制御プログラムをＣＰＵ２２が実行することにより実現される。
まず、視聴中のチャンネルの受信状況が悪化すると［S11:Yes，図７（ａ）（ｂ）］、チャンネルスキャンの開始許否を問い合わせるメニューを表示し、許可があればチャンネルスキャンの前準備の処理に移行する（S12:Yes,S13）。なお、受信状況の悪化の検知は公知の手法であり、例えば、放送波とのフレーム同期が取れずチューナロックが不可能となった場合を悪化として検知する。
【００２０】
前準備の処理においては、まず、ＬＥＤ８の点滅を開始する（S21）。そして、ディスプレイ４へのデータ転送を停止し（S22）、ＣＰＵ２２の動作クロックをダウンさせる（S23）。
また、チャンネルスキャン中は、通常の視聴時と異なり、符号化された映像データや音声データのデコード処理を実行しないため、ＣＰＵ２２の動作クロックを大幅に低下させたとしても動作に支障はない。
【００２１】
例えば、ＣＰＵ２２の動作クロックが300MHzである場合には、3MHzへと低下させることで、ＣＰＵ２２の高クロック動作によりＢＥ部が要因となるノイズを抑制させることができる。
前準備の処理（S13）を終えると、チャンネルスキャンの処理（S14）に移行する。
チャンネルスキャンでは、図５に示すように、ＣＰＵ２２は、チューナ部１８のチャンネルをC＝13にセットし(S31)、チューナ部１８がチューニング完了するまで待機する(S32)。
【００２２】
受信できたならば(S33:Yes)、番組情報を取得してチャンネルリストに登録する（S34）。受信不可であれば(S33:No)、チャンネルリストに受信不可であることを登録する（S35）。
ステップS31からS35までは、C=62までチャンネルを1ずつ増やして繰り返す。C=13にセットした開始から、C=62のチューニングを終えた完了までの期間は、例えば数分程度である。
【００２３】
このチャンネルスキャン中には、表示用データの転送を停止するため、図７（ｃ）に示すように、ディスプレイ４の画面４ｃは、何も表示されない状態となり、ＬＥＤ８だけが点滅している状態となる。
上述のように、表示用データの転送が停止（図４:S22）した状態であるため、転送に起因するノイズの影響を受けずにチャンネルスキャンを実行することができる。なお、表示用データに加えて、音声用データの転送をも停止させることでこの転送に起因するノイズをも回避することができる。
【００２４】
チャンネルスキャンの処理（S14）を終えると、復帰の処理（S15）に移行する。
復帰の処理は、前準備に対応した処理であり、ＬＥＤ点滅を停止し（S41）、ディスプレイへの表示用データ転送を再開し（S42）、ＣＰＵ動作クロックを元に戻す（S43）。
続いて、図７（ｄ）に示すように、ディスプレイ４の画面４ｄにチャンネルリストを表示し（S16）、リストから選局を受け付け（S17）、受け付けたチャンネルを選択する［図７（ｅ）］。
【００２５】
以上、実施の形態について説明したが、チャンネルスキャン中に抑制させる機能としては次に述べる例が挙げられる。以下、実施の形態に係る変形例として説明する。
（変形例１）
実施の形態では、前準備の処理では、ディスプレイへの表示用データの転送を停止する（図４:S22）としたが、停止でなくとも転送速度を低減することでもノイズを抑えることができる。
【００２６】
本変形例１の動作としては、スキャン中、単位時間あたりの転送データ量である転送速度を低減する。
転送速度を低減させる手法としては、(1)60Hzのフレームレートを30Hzに落とす、(2)解像度を減少させる、(3)色情報を削減する(例えば、32bitから1bitに削減する。)、が挙げられる。
【００２７】
転送速度が高ければノイズが発生しやすくなるため、転送速度を低減することでノイズの影響を低減させた状態でチャンネルスキャンが可能となる。
また、チャンネルスキャン中、図８に示すように、画面５に示すようなメッセージを表示させることでスキャン中である旨をユーザに容易に知らせることも可能となる。
（変形例２）
本変形例は、チャンネルスキャンに必要のない機能への電力供給や充電を一時的停止させるものである。
【００２８】
図９は、携帯電話機の電力の流れを説明するブロック図である。
携帯電話機４０は、チューナ部１８、ＢＥ部２０、ディスプレイ４、スピーカ６、ＬＥＤ８と、バッテリ４４から各部への電力供給を制御するバッテリ制御回路４２を有する。
図１０は、本変形例に係る前準備の処理を示す図である。
まず、バッテリ制御回路４２により、通信部１２、ディスプレイ４、スピーカ６への電力供給を停止することで電源をオフとする（S51〜S53）。
【００２９】
電源をオフする部分には、データ転送も停止させ、ディスプレイ４やスピーカ６も動作に起因するノイズを回避する。
電源をオフとすることで、データ転送を停止させることができ、ディスプレイ４やスピーカ６の動作に起因するノイズを回避することができる。また、通信部１２からも携帯電話機の基地局との通信時などのノイズが出ることがあるため、電源をオフとすることでノイズを回避することができる。
【００３０】
また、充電中であれば（S54:Yes）、充電を中止する（S55）。この充電チェックは、例えば、バッテリの端子電圧を閾値と比較することにより行い、また、充電中止は、例えば、昇圧回路への電力供給を停止するスイッチングにより行う。
バッテリ４２の充電時にも、放送波の受信に影響するノイズが発生することがあるため、充電を中止することでノイズを回避することができる。
【００３１】
なお、ステップS51〜S55の電源オフや充電中止は、チャンネルスキャンが完了すると直ちに再開される。
（変形例３）
変形例２では、チャンネルスキャン中は、通信部１２の電源を継続的にオフとするとして説明したが、本変形例では、チャンネルスキャンの途中に、通信部１２の動作に切り替える（断続的に割り込ませる）ことで、携帯電話機としての通信通話機能を担保しつつ、受信状況の良い状態でのチャンネルスキャンの実行を可能とするものである。
【００３２】
図１１（ａ）は、本変形例３に係るフローチャートである。
チャンネルスキャン中(S61)に、チャンネルスキャンを一時停止し（S62）、通信部電源オン（S63）、基地局と通信（S64）し、通信が終われば通信部の電源をオフにし（S65）、チャンネルスキャンを再開する。
図１１（ｂ）に、スキャン動作と通信動作とのタイムラインを示す。
【００３３】
このタイムラインに示すように、チャンネルスキャン動作中であっても、通信動作に切り替えるため、通信動作により携帯電話機の通信通話機能を維持することができる。かつ、通信動作中は、チャンネルスキャンを一時停止するため、通信動作に起因するノイズの影響を受けずにスキャン動作を実行可能である。
なお、通信動作は、例えばCDMAの場合、約5秒ごとに１回実行し１回の通信所要時間は20m秒程度である。
＜補足＞
以上、本発明の実施の形態について説明したが、本発明は上記の内容に限定されず、本発明の目的とそれに関連又は付随する目的を達成するためのいかなる形態においても実施可能であり、例えば、以下であってもよい。
【００３４】
（１）実施の形態では、図３に示すように、チャンネルスキャン(S14)より時間的に前の段階で前準備（S13）をするとして説明したが、データ転送停止などの処理は、チャンネルスキャン開始と同時であっても構わないし、スキャン期間と多少重なっても構わない。
（２）実施の形態では、デジタル放送の受信端末を例に挙げてしたが、アナログ放送の受信端末であってもよいし、両方を併せ持つ受信端末でもよい。もっとも、デジタル放送の受信は、アナログ放送と比べて、放送波の強弱が受信の可否へ与える影響が大きいため、本発明を好適に適用できる。
【００３５】
（３）実施の形態では、放送受信端末の一例として携帯電話機を例に挙げて説明したが、これに限らずテレビ機能付きの携帯型ゲーム機、カーナビゲーション、ＰＤＡなどの放送受信端末にも適用することが可能である。
（４）実施の形態では、発光体の一例としてＬＥＤを用いて説明したが、点滅する光源であればこれに限られず、例えばクリプトン豆電球を用いてもよい。
【００３６】
（５）実施の形態では、受信状況悪化（図３:S11）をチャンネルスキャン実行の契機としたが、これに限らず、携帯電話機２のＧＰＳ機能を利用してエリア移動を検出したときでもよいし、またユーザから指定された実行のタイミングでもよい。
（６）実施の形態と各変形例とは組み合わせることが可能である。
（７−１）実施の形態に係る放送受信端末は、テレビ機能を備える放送受信端末であって、ディスプレイと、表示用データを前記ディスプレイに転送させる転送手段と、チャンネルスキャンするチャンネルスキャン手段と、前記チャンネルスキャン手段によるスキャン中、前記転送手段による前記表示用データの転送を抑制する転送抑制手段と、を備えることを特徴としている。
【００３７】
（７−２）ここで、前記転送抑制手段による転送の抑制は転送の停止又は転送速度の減少であるとしても構わない。
この構成によれば、表示用データの転送の停止により転送に起因するノイズを確実に回避することができる。また、転送速度を減少させることで、転送に起因するノイズを抑えつつ、ディスプレイにある程度の表示を行わせることも可能となる。
【００３８】
（７−３）また、デジタル放送波を受信するチューナ部と、プロセッサを含み、受信したデジタル放送波に含まれる符号化データをデコードするバックエンド部と、を備え、前記転送抑制手段は、さらに、前記チャンネルスキャン手段によるスキャン中、前記バックエンド部のプロセッサの動作クロックを低下させるとしても構わない。
この構成によれば、バックエンド部のプロセッサの動作クロックをチャンネルスキャン実行前と比べて低下させることで、バックエンド部から発生するノイズを軽減することが可能となる。
【００３９】
バックエンド部は、チャンネルスキャン中に動作させる必要性は低く、動作クロックを低下させたとしても、チャンネルスキャンは支障なく実行可能である。
（７−４）また、さらに、発光体と、前記スキャン中、前記発光体の発光状態をスキャン前とは異ならせる発光体制御手段と、を備えるとしても構わない。
この構成によれば、放送受信端末のユーザにスキャン中である旨を容易に知らせることが可能となる。
【００４０】
（７−５）また、さらに、前記ディスプレイに電力を供給するバッテリと、前記バッテリを制御するバッテリ制御手段とを備え、前記チャンネルスキャン手段によるスキャン中、前記バッテリ制御手段は、前記ディスプレイへの電力供給を停止するとしても構わない。
（７−６）また、さらに、充電可能なバッテリと、前記バッテリを充電する充電手段と、前記チャンネルスキャン手段によるスキャン中、前記充電手段による充電を抑制する充電抑制手段と、を備えるとしても構わない。
【００４１】
バッテリの充電中には、受信感度に影響するノイズが発生する場合がある。この構成によれば、充電に起因するノイズを回避することができる。
（７−７）また、さらに、携帯電話機の基地局と無線で所定間隔おきに通信する通信手段と、前記通信手段による通信を行う間、前記チャンネルスキャン手段によるチャンネルスキャンを停止させるチャンネルスキャン制御手段と、を備えるとしても構わない。
【００４２】
携帯電話機の基地局との通信時に使用する電波による妨害や通信動作時に付随して発生するノイズがある。この構成によれば、上記通信に起因する妨害やノイズを回避することができる。
（７−８）また、さらに、スピーカを備え、前記転送手段は、音声用データを前記スピーカに転送させ、前記転送抑制手段は、チャンネルスキャン手段によるスキャン中、前記転送手段による前記音声用データの転送を抑制するとしても構わない。
【００４３】
この構成によれば、音声用データの転送に起因するノイズや音声再生回路（オーディオアンプ）で発生するノイズの影響を受けずにチャンネルスキャンを行なうことができる。
【産業上の利用可能性】
【００４４】
本発明に係る放送受信端末は、チャンネルスキャン時の受信状況が向上しているので、多くのチャンネルを検出でき、快適なテレビ視聴環境の実現に貢献する。
【図面の簡単な説明】
【００４５】
【図１】携帯電話機２の外観を示す図である。
【図２】携帯電話機２の機能ブロック図である。
【図３】チャンネルスキャンの全体処理に関するフローチャートを示す図である。
【図４】チャンネルスキャンの前処理に関するフローチャートを示す図である。
【図５】チャンネルスキャンの前処理に関するフローチャートを示す図である。
【図６】チャンネルスキャンの復帰処理に関するフローチャートを示す図である。
【図７】チャンネルスキャン前後におけるディスプレイ４の画面４ａ〜４ｅの遷移を示す図である。
【図８】変形例１に係る携帯電話機の画面５を示す図である。
【図９】変形例２に係る携帯電話機の電力の流れを説明するブロック図である。
【図１０】変形例２に係る前準備処理を示す図である。
【図１１】（ａ）は変形例３に係るフローチャートである。（ｂ）はスキャン動作と通信動作とのタイムラインを示す図である。
【符号の説明】
【００４６】
２  携帯電話機
４  ディスプレイ
６  スピーカ
８  ＬＥＤ
１２  通信部
１８  チューナ部
２２  ＣＰＵ
２４  メモリ
２６  転送部
２８  ＴＳ処理部
３０  ディスプレイ制御部
【図１】
2009118073.tif 000003
【図２】
2009118073.tif 000004
【図３】
2009118073.tif 000005
【図４】
2009118073.tif 000006
【図５】
2009118073.tif 000007
【図６】
2009118073.tif 000008
【図８】
2009118073.tif 000009
【図９】
2009118073.tif 000010
【図１０】
2009118073.tif 000011
【図１１】
2009118073.tif 000012
【図７】
2009118073.tif 000013